(57)【特許請求の範囲】
【請求項１】
互いに嵌合し合う一対の雄コネクタ及び雌コネクタを備えたコネクタにおいて、
前記雄コネクタは、外壁に被ロック部を備え、
前記雌コネクタは、前記雌コネクタの周壁の上壁部分を構成し、かつ前記周壁に連結されたヒンジ部を有して当該ヒンジ部を中心として揺動可能とされ、前記雌コネクタに嵌合された前記雄コネクタの前記被ロック部に係合させることで前記雄コネクタと前記雌コネクタとが分離しないように前記雄コネクタと前記雌コネクタとを互いにロックすると共に、前記雄コネクタと前記雌コネクタとが互いにロックされた状態で前記上壁部分に形成された開口部の内周部へ向けて延出される係合部が形成されたロック片と、前記開口部の内周から前記開口部の内側へ向けて延出されて前記ロック片と共に前記上壁部分を構成し、前記雄コネクタと前記雌コネクタとが互いに嵌合して前記ロック片が前記雄コネクタの前記被ロック部に係合した状態では前記雌コネクタの嵌合方向先端部側から前記係合部と対向して、前記ロック片が前記雌コネクタの嵌合方向先端部側へ引っ張られた場合に前記係合部に係合する被係合部と、を備えた、
ことを特徴とするコネクタ。
【請求項２】
前記被ロック部は、前記雄コネクタの外壁に設けられた段差部分とされた、
ことを特徴とする請求項１記載のコネクタ。
【発明の詳細な説明】
【技術分野】
【０００１】
本発明は、例えば自動車用ワイヤハーネスの接続等に好適なコネクタに関する。
【背景技術】
【０００２】
例えば自動車用ワイヤハーネスの接続等には、一対の雄コネクタ及び雌コネクタを備えた例えば防水コネクタが使用されており、その一例が下記特許文献１に開示されている。
【０００３】
このような防水コネクタは、雌コネクタを雄コネクタが覆うように雌コネクタの周壁内に雄コネクタを挿入して嵌合させており、これにより、雌コネクタと雄コネクタとの連結部分を防水している。
【０００４】
ここで、雄コネクタは弾性変形可能なロックアームを備えており、このロックアームに対応して雌コネクタはロックアームを嵌入するためのロックアーム嵌入部を備えている。ロックアームは雄コネクタの嵌合方向とは直交する上下方向端部に一体に設けられており、ロックアーム嵌入部は雌コネクタの嵌合方向とは直交する上下方向端部に一体に設けられている。
【０００５】
雄コネクタを雌コネクタに嵌合させる際に、雄コネクタのロックアームを上下方向内側に撓ませて雌コネクタのロックアーム嵌入部に挿入し、ロックアームを上下方向外側へ復帰させることでロックアームの上下方向外側に設けられた係合突起をロックアーム嵌入部に設けられた係合孔に係合させる。これにより、ロックアームの係合突起がロックアーム嵌入部の係合孔に係合している状態では、雄コネクタを雌コネクタから引き抜こうとしても、係合突起と係合孔とが干渉して、雄コネクタを雌コネクタから引き抜くことができないようになっている。
【０００６】
また、雄コネクタと雌コネクタとの嵌合を解除する場合には、雄コネクタのロックアームを上下方向内側に撓ませて、ロックアームの係合突起とロックアーム嵌入部の係合孔との係合を解除し、この状態を維持しながら雄コネクタを雌コネクタから引き抜く。この結果、雄コネクタと雌コネクタとが分離される。
【０００７】
以上のようにして、雄コネクタと雌コネクタとの嵌合、及びその嵌合分離を行う（以上、ロック構造）。
【０００８】
しかしながら、ロックアームが自然状態であるときには、雄コネクタには、ロックアームが上下方向内側に撓むことができるように所謂遊びの領域が設けられている。このため、雄コネクタは、全体として大型になってしまう。
【０００９】
そして、このような雄コネクタを周壁内に挿入させて嵌合させる雌コネクタでは、雄コネクタの主要部との嵌合部分と、ロックアーム嵌入部との双方を周壁内に含んでいるため、雌コネクタも全体として大型になってしまう。
【００１０】
このように雄コネクタ及び雌コネクタの双方が大型になってしまうので、雄コネクタと雌コネクタとを互いに嵌合させたコネクタそのものも大型になってしまうという欠点があった。
【００１１】
また一方で、車内において防水コネクタの配置位置付近の省スペース化を図るために防水コネクタの製品サイズを現状よりも小さくしたいというニーズがあり、防水コネクタを小型化することが望まれていた。
【特許文献１】実開平５−３６７７１号公報
【発明の開示】
【発明が解決しようとする課題】
【００１２】
本発明は、上記問題点に鑑み、小型化できるコネクタを得ることを目的とする。
【課題を解決するための手段】
【００１３】
請求項１に記載の発明に係るコネクタは、互いに嵌合し合う一対の雄コネクタ及び雌コネクタを備えたコネクタにおいて、前記雄コネクタは、外壁に被ロック部を備え、前記雌コネクタは、前記雌コネクタの周壁の上壁部分を構成し、かつ前記周壁に連結されたヒンジ部を有して当該ヒンジ部を中心として揺動可能とされ、前記雌コネクタに嵌合された前記雄コネクタの前記被ロック部に係合させることで前記雄コネクタと前記雌コネクタとが分離しないように前記雄コネクタと前記雌コネクタとを互いにロックすると共に、前記雄コネクタと前記雌コネクタとが互いにロックされた状態で前記上壁部分に形成された開口部の内周部へ向けて延出される係合部が形成されたロック片と、前記開口部の内周から前記開口部の内側へ向けて延出されて前記ロック片と共に前記上壁部分を構成し、前記雄コネクタと前記雌コネクタとが互いに嵌合して前記ロック片が前記雄コネクタの前記被ロック部に係合した状態では前記雌コネクタの嵌合方向先端部側から前記係合部と対向して、前記ロック片が前記雌コネクタの嵌合方向先端部側へ引っ張られた場合に前記係合部に係合する被係合部と、を備えた、ことを特徴とする。
【００１４】
請求項１に記載の発明に係るコネクタでは、作業者が雄コネクタと雌コネクタとを嵌合させ、雌コネクタのロック片を雌コネクタの上壁部分に連結されたヒンジ部を中心として揺動させて雄コネクタの被ロック部に係合させる。作業者が雌コネクタのロック片を雄コネクタの被ロック部に係合させると、雄コネクタと雌コネクタとが分離しないように、ロック片と被ロック部とが雄コネクタと雌コネクタとを互いにロックできる。
【００１５】
ここで、請求項１記載のコネクタでは、ロック片が雌コネクタの周壁の一部を構成しているため、本コネクタの雄コネクタは、従来の雄コネクタのようにロックアームを備える必要がなく、この結果、ロックアームが雄コネクタの嵌合方向とは直交する上下方向内側に撓むことができるようにするための所謂遊びの領域を設けなくてよい。
【００１６】
これに伴って、請求項１記載のコネクタの雌コネクタは、周壁内に従来の雄コネクタのロックアームを嵌入するためのロックアーム嵌入部を設ける必要がない。
【００１７】
従って、本請求項１記載のコネクタは、雄コネクタ及び雌コネクタの双方とも小型化できる。これにより、本請求項１記載のコネクタは、製品サイズを小型化できる。
【００１８】
また、雌コネクタの上壁部分に形成された開口部の内周部からは、この開口部の内側へ向けて被係合部が延出されており、上記のように雌コネクタのロック片が雄コネクタの被ロック部に係合して雄コネクタと雌コネクタとが互いにロックされると、雌コネクタの上壁部分に形成された開口部の内周部へ向けてロック片から延出された係合部に対して上記の被係合部が雌コネクタの嵌合方向先端部側から対向する。
【００１９】
この状態で、雄コネクタと雌コネクタとが互いに嵌合してロック片が雄コネクタの被ロック部に係合した状態でロック片が雌コネクタの嵌合方向先端部側へ引っ張られると、ロック片の係合部がロック片以外の雌コネクタの周壁の被係合部に係合し、これにより、ロック片は、雌コネクタの嵌合方向先端部側へ移動することを阻止される。従って、請求項２記載のコネクタは、ロック片が雄コネクタから受ける荷重をヒンジ部だけでなく係合部にも分散させることができ、ロック片のヒンジ部の破損を防止できる。
【００２０】
請求項２に記載の発明は、請求項１記載の発明において、前記被ロック部は、前記雄コネクタの外壁に設けられた段差部分とされた、ことを特徴とする。
【００２１】
請求項２に記載の発明に係るコネクタでは、被ロック部が雄コネクタの外壁に設けられた段差部分とされているので、被ロック部は、ロック片から大きな荷重を受けても、この大きな荷重に耐えることができる。これにより、請求項３記載のコネクタは、被ロック部の破損を防止できる。
【発明の効果】
【００２２】
以上説明した如く本発明に係るコネクタは、小型化できる。
【発明を実施するための最良の形態】
【００２３】
図４には、本発明の実施の形態に係るコネクタとしての防水コネクタ１０の概略が断面図にて示されている。
【００２４】
防水コネクタ１０は、互いに嵌合し合う一対の雄コネクタ１２及び雌コネクタ１４を備えている。
【００２５】
雄コネクタ１２は、嵌合部３４を有している。図２に示されるように、嵌合部３４は、正面が略四角形状の筒状に形成されている。
【００２６】
また、図４に示されるように、嵌合部３４は、その外壁１６に被ロック部１８を備えている。雄コネクタ１２において嵌合部３４よりも雄コネクタ１２の嵌合方向基端部側の部分は嵌合部３４よりも縮径された縮径部４２とされており、この縮径部４２と嵌合部３４との境界位置に設けられた段差部分が上記の被ロック部１８とされている。
【００２７】
被ロック部１８では、雄コネクタ１２の嵌合方向とは直交する上下方向外側の部分が雄コネクタ１２の嵌合方向基端部側へ向けて幾分突出した凸部１８Ａとされており、上下方向内側の部分が凸部１８Ａに対して雄コネクタ１２の嵌合方向先端部側へ向けて幾分窪んだ凹部１８Ｂとされている。
【００２８】
また、縮径部４２内には、雄コネクタ１２の嵌合方向に沿って配線孔４８が形成されており、縮径部４２の外部と嵌合部３４内部の隙間３５とを連通させている。
【００２９】
配線孔４８内部の隙間３５付近には、雄端子３０が配置されている。この雄端子３０は、縮径部４２の外部から配線孔４８内に挿入された電線４４と電気的に接続されている。図２において、嵌合部３４の内部側では、上下２段かつ左右方向複数（本実施の形態では、４個）の雄端子３０が所定間隔おきに配置されている。
【００３０】
また、配線孔４８の内部には、パッキン４６が配置されている。パッキン４６には電線４４が挿通されており、パッキン４６は、電線４４と配線孔４８の内周面との間をシールしている。
【００３１】
以上説明したような雄コネクタ１２は、嵌合部３４と縮径部４２とが合成樹脂で成型されており、嵌合部３４と縮径部４２とが一体とされている。
【００３２】
一方、図４に示されるように、雌コネクタ１４は、周壁２０を有している。図３に示されるように、周壁２０は、正面が略四角形の筒状に形成されている。そして、雌コネクタ１４は、この周壁２０内に嵌合部３６を有している。嵌合部３６は、雄コネクタ１２の嵌合部３４に対応して断面が略四角形状の柱状に形成されており、周壁２０とほぼ同軸的に配設されている。そして、図４に示されるように、周壁２０と嵌合部３６との間には、隙間４０が設けられており、この隙間４０に雄コネクタ１２の嵌合部３４が挿入される。
【００３３】
図４に示されるように、この嵌合部３６は、雌コネクタ１４の嵌合方向において、基端部が周壁２０の基端部と一体とされている。そして、嵌合部３６の外周部分３６Ａにおける雌コネクタ１４の嵌合方向基端部側には、パッキン２８が配置されている。図１に示されるように、パッキン２８は、雌コネクタ１４と雄コネクタ１２とが互いに嵌合し合った場合に、雌コネクタ１４の嵌合部３６と雄コネクタ１２の嵌合部３４との間をシールする。
【００３４】
また、図４に示されるように、雌コネクタ１４は、ロック片２２を備えている。ロック片２２は、雌コネクタ１４の周壁２０の一部を構成している。ロック片２２における雌コネクタ１４の嵌合方向基端部は、ヒンジ部２２Ｂとされている。ヒンジ部２２Ｂは、ロック片２２以外の周壁２０における雌コネクタ１４の嵌合方向基端部位置でこのロック片２２以外の周壁２０と連結されている。
【００３５】
このロック片２２は、ヒンジ部２２Ｂを中心として矢印Ｃ方向及び反矢印Ｃ方向に揺動可能とされており、例えば、二点鎖線で示される位置（図４において、先端部２２Ａがヒンジ部２２Ｂに対して垂直上方となる位置）と実線で示される位置（図４において、先端部２２Ａがヒンジ部２２Ｂに対して水平右方となる位置）との間を揺動できるようになっている。
【００３６】
ロック片２２は、その先端部２２Ａよりも若干ヒンジ部２２Ｂ側に突起３８を有している。突起３８は、ロック片２２の揺動方向において周壁２０側（嵌合部３６側）に設けられている。突起３８の先端部は、先端部２２Ａ側からヒンジ部２２Ｂ側へ向けて幾分突出した凸部３８Ａとされており、ロック片２２の凸部３８Ａよりも揺動方向外側（揺動方向において、凸部３８Ａに対し嵌合部３６とは反対側）の部分が凸部３８Ａに対しヒンジ部２２Ｂ側からロック片２２の先端部２２Ａ側へ向けて幾分窪んだ凹部３８Ｂとされている。
【００３７】
そして、ロック片２２の突起３８を雌コネクタ１４に嵌合された雄コネクタ１２の被ロック部１８に係合させることで（突起３８の凸部３８Ａを被ロック部１８の凹部１８Ｂに入り込ませると共に被ロック部１８の凸部１８Ａを突起３８の凹部３８Ｂに入り込ませることで）、雄コネクタ１２と雌コネクタ１４とが分離しないように雄コネクタ１２と雌コネクタ１４とがロックされる。
【００３８】
また、図５に示されるように、ロック片２２以外の雌コネクタ１４の周壁２０は、被係合部２６を有している。そして、ロック片２２以外の雌コネクタ１４の周壁２０の上壁部分（図３における上壁部分）２０Ａには、雌コネクタ１４の嵌合方向先端部を除いて略矩形状の開口部２１が形成されている。この開口部２１において、雌コネクタ１４の嵌合方向先端部側では、一対の被係合部２６が雌コネクタ１４の嵌合方向とは直交する方向に沿って互いに接近する向きに延出しており、開口部２１における雌コネクタ１４の嵌合方向とは直交する方向の幅が他の部分よりも狭められている。
【００３９】
また、被係合部２６に対応して、ロック片２２は、係合部２４を有している。係合部２４は、雌コネクタ１４の周壁２０の被係合部２６に対応して雌コネクタ１４の嵌合方向とは直交する方向に沿って互いに反対向きに延出した形状とされている。上記雌コネクタ１４の嵌合方向とは直交する方向における係合部２４の先端部間の幅は、上記雌コネクタ１４の嵌合方向とは直交する方向における被係合部２６の先端部間の幅（すなわち、雌コネクタ１４の嵌合方向先端部において、雌コネクタ１４の嵌合方向とは直交する方向の上記幅が狭められた部分の寸法）よりも広くなっている。そして、この係合部２４は、被係合部２６よりも雌コネクタ１４の嵌合方向基端部側に位置している。
【００４０】
係合部２４は、雄コネクタ１２と雌コネクタ１４とが互いに嵌合し合った状態でロック片２２の先端部２２Ａ近傍の突起３８が雄コネクタ１２の被ロック部１８に係合した場合であってロック片２２が雌コネクタ１４の嵌合方向先端部側へ引っ張られたときに、雌コネクタ１４の周壁２０の被係合部２６と係合（干渉）することでロック片２２が雌コネクタ１４の嵌合方向先端部側へ移動することを阻止する。
【００４１】
また、図５に示されるように、ロック片２２の先端部２２Ａは、その突起３８が雄コネクタ１２の被ロック部１８に係合している場合には、ロック片２２以外の周壁２０よりも雌コネクタ１４の嵌合方向先端部側に突出している。
【００４２】
このロック片２２の先端部２２Ａは、作業者がロック片２２を揺動操作するための把持部とされており、作業者がロック片２２を容易に把持できるようになっている。
【００４３】
また、図４に示されるように、雌コネクタ１４は、周壁２０よりも縮径された縮径部５６を備えている。縮径部５６は、嵌合部３６に対応して柱状とされており、径寸法が嵌合部３６とほぼ同じとされている。この縮径部５６は、雌コネクタ１４の嵌合方向において嵌合部３６の基端部及び周壁２０の基端部と一体とされており、嵌合部３６と同軸とされて雌コネクタ１４の嵌合方向先端部とは反対側へ延出している（すなわち、縮径部５６は、雌コネクタ１４の嵌合方向基端部に位置している）。
【００４４】
縮径部５６内には、雌コネクタ１４の嵌合方向に沿って配線孔５４が形成されており、縮径部５６の外部と周壁２０内かつ嵌合部３６よりも先方の隙間４１とを嵌合部３６を介して連通させている。
【００４５】
雌コネクタ１４の嵌合方向において、配線孔５４内部の隙間４１付近には、雌端子３２が配置されている。この雌端子３２は、縮径部５６の外部から配線孔５４内に挿入された電線５０と電気的に接続されている。図３において、嵌合部３６の内部側では、上下２段かつ左右方向複数（本実施の形態では、４個）の雌端子３２が所定間隔おきに配置されている。図１に示されるように、これらの雌端子３２は、雌コネクタ１４の周壁２０内に雄コネクタ１２が挿入されて嵌合された状態では、雄コネクタ１２の雄端子３０と電気的に接続されて、雄端子３０と雌端子３２とが導通する。
【００４６】
また、配線孔５４の内部には、電線５０に挿通されたパッキン５２が配置されており、電線５０と配線孔５４の内周面との間をシールしている。
【００４７】
以上説明したような雌コネクタは、嵌合部３６、ロック片２２、ロック片２２以外の周壁２０、及び縮径部５６が合成樹脂で成型されている。ここで、本実施の形態では、雌コネクタ１４の嵌合方向において、ロック片２２のヒンジ部２２Ｂが合成樹脂の一体成型によりロック片２２以外の周壁２０の基端部と一体とされており、ヒンジ部２２Ｂが前述の如くロック片２２以外の周壁２０の基端部と連結されている。
【００４８】
次に、本実施の形態の作用について説明する。
【００４９】
図４に示されるように、防水コネクタ１０では、作業者が雄コネクタ１２の嵌合部３４を雌コネクタ１４の周壁２０内の隙間４０に挿入して雄コネクタ１２と雌コネクタ１４とを嵌合させる。
【００５０】
次いで、作業者が雌コネクタ１４のロック片２２の先端部２２Ａを把持し、ロック片２２をそのヒンジ部２２Ｂを中心として矢印Ｃ方向に揺動させて、ロック片２２の先端部２２Ａ近傍の突起３８を雄コネクタ１２の被ロック部１８に押し込んで係合させる。
【００５１】
この係合状態は、図１に示されるように、突起３８の凸部３８Ａを被ロック部１８の凹部１８Ｂに入り込ませると共に、被ロック部１８の凸部１８Ａを突起３８の凹部３８Ｂに入り込ませた状態である。
【００５２】
このため、一旦作業者がロック片２２の突起３８と被ロック部１８とを係合させてしまうと、作業者がロック片２２を反矢印Ｃ方向に揺動操作しない限り、ロック片２２の突起３８は、被ロック部１８からは外れない。
【００５３】
従って、雄コネクタ１２と雌コネクタ１４とが分離しないように、ロック片２２と被ロック部１８とが雄コネクタ１２と雌コネクタ１４とを互いにロックできる。
【００５４】
ここで、本実施の形態の防水コネクタ１０では、ロック片２２が雌コネクタ１４の周壁２０の一部を構成しているため、本実施の形態の防水コネクタ１０の雄コネクタ１２は、従来の雄コネクタのようにロックアームを備える必要がなく、この結果、ロックアームが雄コネクタの嵌合方向とは直交する上下方向内側に撓むことができるようにするための所謂遊びの領域を設けなくてよい。
【００５５】
これに伴って、本実施の形態の防水コネクタ１０の雌コネクタ１４は、周壁２０内に従来の雄コネクタのロックアームを嵌入するためのロックアーム嵌入部を設ける必要がない。
【００５６】
従って、本実施の形態の防水コネクタ１０は、雄コネクタ１２及び雌コネクタ１４の双方とも小型化できる。これにより、本実施の形態の防水コネクタ１０は、製品サイズを小型化できる。
【００５７】
また、防水コネクタ１０では、雄コネクタ１２と雌コネクタ１４とが互いに嵌合し合った状態でロック片２２が雄コネクタ１２の被ロック部１８に係合した場合であってロック片２２の先端部２２Ａの突起３８が雌コネクタ１４の嵌合方向先端部側へ引っ張られたときに、ロック片２２の係合部２４がロック片２２以外の雌コネクタ１４の周壁２０の被係合部２６に係合（干渉）し、これにより、ロック片２２は、雌コネクタ１４の嵌合方向先端部側へ移動することを阻止される。従って、本実施の形態の防水コネクタ１０は、ロック片２２が雄コネクタ１２から受ける荷重をヒンジ部２２Ｂだけでなく係合部２４にも分散させることができ、ロック片２２のヒンジ部２２Ｂの破損を防止できる。
【００５８】
また、防水コネクタ１０では、被ロック部１８が雄コネクタ１２の外壁１６に設けられた段差部分とされているので、被ロック部１８は、ロック片２２（さらに言えば、その突起３８）から大きな荷重を受けても、この大きな荷重に耐えることができる。これにより、本実施の形態の防水コネクタ１０は、被ロック部１８の破損を防止できる。
【００５９】
また、防水コネクタ１０では、雌コネクタ１４のロック片２２は、そのヒンジ部２２Ｂがロック片２２以外の周壁２０と一体に合成樹脂で成型されているので、雌コネクタ１４、ひいては防水コネクタ１０の部品点数を削減できる。
【００６０】
また、防水コネクタ１０は、雄コネクタ１２と雌コネクタ１４との嵌合時には、表面に比較的大きな凹凸がないので、従来の防水コネクタに比べて、防水コネクタ１０に他の製品やケーブル等が引っ掛かることが少なくなる。
【００６１】
また、図１に示されるように、防水コネクタ１０では、雄コネクタ１２の配線孔４８の内周面と電線４４との間がパッキン４６によってシールされているので、パッキン４６に対して縮径部４２の外部から雄端子３０側へは浸水しない。
【００６２】
そして、雌コネクタ１４の配線孔５４の内周面と電線５０との間がパッキン５２によってシールされているので、パッキン５２に対して縮径部５６の外部から雌端子３２側へは浸水しない。
【００６３】
さらに、雄コネクタ１２の嵌合部３４と雌コネクタ１４の嵌合部３６との間がパッキン２８によってシールされているので、雄コネクタ１２の嵌合部３４外部からこの嵌合部３４内部（雌コネクタ１４の嵌合部３６外部）側へは浸水しない。
【００６４】
従って、防水コネクタ１０は、パッキン４６、５２、２８によって、雄端子３０と雌端子３２との電気的な接続部分を防水できる。
【００６５】
一方、図４に示されるように、作業者がロック片２２と被ロック部１８とによってロックされた雄コネクタ１２と雌コネクタ１４とを分離させる際には、作業者が指でロック片２２の先端部２２Ａを反矢印Ｃ方向に押し上げることでロック片２２の先端部２２Ａの突起３８と雄コネクタ１２の被ロック部１８との係合が解除され、作業者はロック片２２の先端部２２Ａを把持したままロック片２２を例えば実線で示される位置から二点鎖線で示される位置まで揺動させる。
【００６６】
このようにしてロック片２２の突起３８を被ロック部１８から外すことで、作業者は、雄コネクタ１２と雌コネクタ１４とを分離可能な状態にできる。
【００６７】
次いで、図４に示されるように、作業者が雄コネクタ１２と雌コネクタ１４とを互いに引き離す方向に引っ張ることで、作業者は、雄コネクタ１２と雌コネクタ１４とを分離できる。
（変形例１）
以上、本発明の実施の形態に係る防水コネクタ１０について説明したが、本発明は、前述の実施の形態に限らない。以下に、防水コネクタ１０の雌コネクタ１４の変形例について説明する。
【００６８】
図６には、雌コネクタ１４の変形例が平面図にて示されている。本変形例の雌コネクタ１４は、ロック片２２の形状を変更したものである。ロック片２２では、先端部２２Ａ側からヒンジ部２２Ｂ側へ向かう方向に沿って、係合部２４のヒンジ部２２Ｂ側端部がヒンジ部２２Ｂの位置まで延在した形状とされている。このため、例えばロック片２２と雄コネクタ１２の被ロック部１８との係合状態では、ロック片２２は、ロック片２２以外の周壁２０の上壁部分２０Ａに設けられている開口部２１をほぼ閉塞する。
（変形例２）
図７には、雌コネクタ１４の他の変形例が斜視図にて示されている。本変形例の雌コネクタ１４では、ロック片２２以外の周壁２０の上壁部分２０Ａだけでなく、その側壁部分２０Ｂの一部もロック片２２を構成する。
【００６９】
そして、本変形例でのロック片２２の係合部２４は図７の下方（矢印Ｄ参照）に向けて凸状に形成された凸形状部分６０とされている。このロック片２２の凸形状部分６０に対応して、雌コネクタ１４の周壁２０のうちロック片２２以外の側壁部分２０Ｂは、図７の上方に向けて凹状に形成された凹形状部分６２とされている。そして、この凹形状部分６２のうち雌コネクタ１４の嵌合方向先端部側の部位が図５の被係合部２６に対応する本変形例での被係合部２６とされている。
【００７０】
以上説明したような雌コネクタ１４の変形例１及び変形例２では、雄コネクタ１２と雌コネクタ１４とが互いに嵌合し合った状態でロック片２２が雄コネクタ１２の被ロック部１８に係合した場合であってロック片２２の先端部２２Ａの突起３８が雌コネクタ１４の嵌合方向先端部側へ引っ張られたときに、係合部２４が被係合部２６に干渉してロック片２２にかかる荷重がヒンジ部２２Ｂと係合部２４とに分散されるので、前述の本発明の実施の形態と同様に、ロック片２２のヒンジ部２２Ｂの破損を防止できる。
【図面の簡単な説明】
【００７１】
【図１】本発明の実施の形態に係るコネクタの概略を示し、雄コネクタと雌コネクタとが互いに嵌合し、かつロック片が雄コネクタの被ロック部と係合している状態を示す断面図である。
【図２】雄コネクタを雌コネクタとの嵌合方向側から見た矢印Ａ矢視図である。
【図３】雌コネクタを雄コネクタとの嵌合方向側から見た矢印Ｂ矢視図である。
【図４】雄コネクタと雌コネクタとが分離している際のコネクタの概略を示す断面図である。
【図５】図１に示されるコネクタの平面図である。
【図６】雌コネクタの変形例を示す平面図であり、図５に対応する図である。
【図７】雌コネクタの他の変形例を示す斜視図である。
【符号の説明】
【００７２】
１０      防水コネクタ（コネクタ）
１２      雄コネクタ
１４      雌コネクタ
１６      外壁（雄コネクタの外壁）
１８      被ロック部
２０      周壁（雌コネクタの周壁）
２２      ロック片
２４      係合部
２６      被係合部
６０      凸形状部分（係合部）
６２      凹形状部分（被係合部）
【図１】
0004521324.tif 000002
【図２】
0004521324.tif 000003
【図３】
0004521324.tif 000004
【図４】
0004521324.tif 000005
【図５】
0004521324.tif 000006
【図６】
0004521324.tif 000007
【図７】
0004521324.tif 000008